(57)【要約】【課題】制御外部スリーブを手で回転させることで、内部ギアを回転させることができ、工具柄をクランプするプロセスで、緩み止め部材の歯止め部がラチェット・ギアとかみあうようにできる柄付き工具用クランプ構造を提供する。【解決手段】  本発明は、電源駆動軸に取付けられた柄付き工具用クランプ構造であって、駆動軸と後端部で接続され、チャック本体と、部分ネジ山を有する後端部と工具柄をクランプするため使用される前端部とを有する複数のグリッパーと、グリッパーの部分ネジ山と結合する内部ネジ山を有する駆動部材と、制御外部スリーブと、チャック本体に強固に取付けられたセンター・ギアと、チャック本体と同軸状に取付けられ、制御外部スリーブと接続され、内部ギア歯を有する内部ギア・リングと、内部ギア・リングとセンター・ギアにそれぞれ噛合う少なくとも１つのピニオンと、を含む電源により駆動される駆動軸に取付けられることを特徴とする。【選択図】図１
2006326831.tif 000002
【特許請求の範囲】
【請求項１】
電源により駆動される駆動軸に取付けられた柄付き工具用クランプ構造であって、
駆動軸と後端部で接続され、工具柄をクランプする収容スペースを有し、チャック本体の同軸錐体に均等に備えられた複数のガイド穴を有するチャック本体と、
チャック本体と接続されチャック本体のガイド穴に取付けられ、部分ネジ山を有する後端部と工具柄をクランプするため使用される前端部とを有する複数のグリッパーと、
チャック本体のまわりに取付けられ、グリッパーの部分ネジ山と結合する内部ネジ山を有する駆動部材と、
制御外部スリーブと，
チャック本体に強固に取付けられたセンター・ギアと、
チャック本体と同軸状に取付けられ、制御外部スリーブと接続され、内部ギア歯を有する内部ギア・リングと、
ピン・シャフトを通して駆動部材に取付けられ、内部ギア・リングとセンター・ギアにそれぞれ噛合う少なくとも１つのピニオンと、
を含む電源により駆動される駆動軸に取付けられることを特徴とする柄付き工具用クランプ構造。
【請求項２】
前記制御外部スリーブは突起部を有する少なくとも１つの駆動キーを備え、内部ギア・リングは少なくとも１つの位置決め凹部を備え、突起部は位置決め凹部と結合することを特徴とする請求項１に記載の柄付き工具用クランプ構造。
【請求項３】
前記制御外部スリーブがさらに少なくとも１つの制御キーを備え、内部ギア・リングはさらに少なくとも１つの緩み止め部材収容スペースを備えることを特徴とする柄付き工具用クランプ構造において、クランプ構造はさらに
チャック本体に強固に取付けられ、ラチェットを備えたラチェット・ギアと、
少なくとも１つの緩み止め部材収容スペースに取付けられ、歯止め部を有する少なくとも１つの弾力性ある緩み止め部材と、
弾力性ある緩み止め部材が歯止め部をラチェット・ギアのラチェットとかみあわせたり、自由にしたりするのを制御する制御キーと、
を含むことを特徴とする請求項２に記載の柄付き工具用クランプ構造。
【請求項４】
前記ラチェット・ギアがさらにストップ・リング部を備えることを特徴とする請求項３に記載の柄付き工具用クランプ構造。
【請求項５】
前記弾力性ある緩み止め部材がピボット部を備え、ピボット部のまわりを揺れ動くことが可能なことを特徴とする請求項３に記載の柄付き工具用クランプ構造。
【請求項６】
前記内部ギア・リングは部分ピボット穴を備え、部分ピボット穴にピボット部が取り付けられることを特徴とする請求項３に記載の柄付き工具用クランプ構造。
【請求項７】
前記センター・ピンがピボット部に備えられることを特徴とする請求項６に記載の柄付き工具用クランプ構造。
【請求項８】
前記弾力性ある緩み止め部材がサポート部と突起部を備え、制御キーが突起部を押していると、弾力性ある緩み止め部材は、歯止め部がラチェット・ギアのラチェットとかみあうように変形されることを特徴とする請求項５に記載の柄付き工具用クランプ構造。
【請求項９】
前記ラチェット・ギアがチャック本体と一体に形成されることを特徴とする請求項３に記載の柄付き工具用クランプ構造。
【請求項１０】
前記ラチェット・ギアが駆動部材と一体に形成されることを特徴とする請求項３に記載の柄付き工具用クランプ構造。
【請求項１１】
前記チャック本体がセンター・ギアと一体に形成されることを特徴とする請求項３に記載の柄付き工具用クランプ構造。
【請求項１２】
支持リングが弾力性ある緩み止め部材とピニオンの間に備えられることを特徴とする請求項３に記載の柄付き工具用クランプ構造。
【請求項１３】
前記内部ギア・リングがさらに駆動キー用に少なくとも１つの可動空間を備え、制御外部スリーブの少なくとも１つの駆動キーは駆動キー用可動空間で動くことが可能であることを特徴とする請求項３に記載の柄付き工具用クランプ構造。
【請求項１４】
前記制御外部スリーブは共に結合された外部スリーブと制御リングから成る組み合せで、ここに外部スリーブは周辺に分布した接合鋸歯状縁を備えるスリーブ形状の部材で、制御リングは外部スリーブと強固に接続するために外部周囲に配置された接合鋸歯状縁を備えることを特徴とする請求項１に記載の柄付き工具用クランプ構造。
【請求項１５】
前記制御外部スリーブは握りやすくするための線を有し、制御リングが制御キーを有することを特徴とする請求項１４に記載の柄付き工具用クランプ構造。
【請求項１６】
前記制御外部スリーブが突起部を有する少なくとも１つの駆動キーを有し、内部ギア・リングは少なくとも１つの位置決め凹部を備え、突起部と位置決め凹部は結合することを特徴とする請求項１４に記載の柄付き工具用クランプ構造。
【請求項１７】
前記チャック本体が接合鋸歯状縁を備え、センター・ギアがチャック本体の接合鋸歯状縁に強固に取付けられていることを特徴とする請求項１に記載の柄付き工具用クランプ構造。
【請求項１８】
前記チャック本体にチャック本体の駆動部材を軸方向に位置決めするための軸位置決めリングを取付けてあることを特徴とする請求項１に記載の柄付き工具用クランプ構造。
【請求項１９】
前記駆動部材が、駆動部材の軸の正規曲面と鋭角に位置する力移転端面を有することを特徴とする請求項１に記載の柄付き工具用クランプ構造。
【請求項２０】
軸受はチャック本体の支え棒と駆動部材の力移転端面の間に備えられ、軸受は支持部と支持部に取付けられた複数の回転体を有し、円状に配置されることを特徴とする請求項１に記載の柄付き工具用クランプ構造。
【請求項２１】
前記軸受が、支持部は母線がチャック本体の支え棒と等しい傾斜角を回転体となす、開口中空円錐台で非動作方向すなわち半径方向の回転体の内接円半径は支持体の内半径より大きい半支持軸受であることを特徴とする請求項２０に記載の柄付き工具用クランプ構造。
【請求項２２】
前記駆動部材が回転可能な構造であることを特徴とする請求項１に記載の柄付き工具用クランプ構造。
【請求項２３】
前記駆動部材はナットと駆動スリーブを含みナットはテーパ・ネジ山、力移転端面、柱面外部に分布した接続鋸歯状縁を有し、駆動スリーブはナットの接続鋸歯状縁のまわりに強固に固定されることを特徴とする請求項２２に記載の柄付き工具用クランプ構造。
【請求項２４】
ピン・シャフトが駆動スリーブの軸に平行で軸を中心とする同じ円の中で駆動スリーブの端面しっかり取付けられていることを特徴とする請求項２２に記載の柄付き工具用クランプ構造。
【請求項２５】
前記制御外部スリーブが掴みやすくするための溝を有することを特徴とする請求項２２に記載の柄付き工具用クランプ構造。
【請求項２６】
前記チャック本体の尾部に取付けられた後キャップを含み、チャック本体の尾部に接続する穴と複数の接続キーを有することを特徴とする請求項１に記載の柄付き工具用クランプ構造。
【請求項２７】
前カバーがチャック本体の前部に取付けられ、環状の接続溝を備えることを特徴とする請求項１に記載の柄付き工具用クランプ構造。
【請求項２８】
前記クリップ・リングがチャック本体の前部に取付けられ内部ギア・リングと前カバーをチャック本体と軸方向に位置決めすることを特徴とする請求項２７に記載の柄付き工具用クランプ構造。
【請求項２９】
後キャップは外部スリーブの環状接続溝に取付けられ得ることを特徴とする請求項１に記載の柄付き工具用クランプ構造。
【請求項３０】
前記チャック本体は収容スペースに対抗穴を有し、対抗穴の長さはチャック本体を駆動軸に接続するネジの頭の長さより長いことを特徴とする請求項１に記載の柄付き工具用クランプ構造。
【請求項３１】
前記チャック本体が後部の少なくとも１つの接続溝と前部の環状溝と後部で駆動軸に接続するネジ穴または錐体穴を有することを特徴とする請求項１に記載の柄付き工具用クランプ構造。
【請求項３２】
少なくとも１つの減摩ユニットがチャック本体と制御外部スリーブの間、及び／または駆動部材と制御外部スリーブの間に備えられることを特徴とする請求項１に記載の柄付き工具用クランプ構造。
【請求項３３】
前記減摩ユニットがＰＴＦＥあるいは黒鉛でできていることを特徴とする請求項３２に記載の柄付き工具用クランプ構造。
【請求項３４】
前記減摩ユニットが回転体と支持部を含むことを特徴とする請求項３２に記載の柄付き工具用クランプ構造。
【発明の詳細な説明】
【技術分野】
【０００１】
本発明は柄付き工具用のクランプ構造に関し、さらに詳しくは、プラネット機構により、より大きい力で工具の柄をクランプできる柄付き工具用クランプ構造に関する。
【背景技術】
【０００２】
一般的には従来の柄付き工具用のクランプ構造はチャック本体、グリッパー、ナット、軸受、緩み止め装置、外部スリーブを含む。チャック本体は電源装置の駆動軸に接続している。３つのグリッパーはチャック本体の等しく配置された３つのガイド穴内にそれぞれ取付けられる。ネジ山を備えたグリッパーはナットと共にネジ伝導を生成する。ナットに接続された外部スリーブを回転させてグリッパーをチャック本体に対しガイド穴に沿って動かすと、柄付き工具はクランプしたり、しなかったりする。緩み止め装置は、工具が取付けられて振動する時、柄がグリッパーから緩んで離れないようにする。
【０００３】
上記構造では、負荷がかかった状態で、グリッパーとナットの間のネジ山により生じる非常に大きい接触応力のため、比較的滑り摩擦は大きく、その結果ナットとグリッパーの間のネジ伝導により生じる工具柄をクランプするクランプ力が十分な大きさを持てなくなり、重いものを取付けて振動する動作条件下では、グリッパーが工具柄をしっかりクランプできないという結果をもたらす。さらに、公開された緩み止め構造では緩み止め効果は構造上十分ではない。例えば中国公開公報ＰＣＴ／ＣＮ／０２／００３７５において、振動や打撃を伴う動作条件下では構造上の、隠れた緩みトラブルが存在する。
【特許文献１】中国公開公報ＰＣＴ／ＣＮ／０２／００３７５
【特許文献２】特開平１０−１６６２０７号公報
【発明の開示】
【発明が解決しようとする課題】
【０００４】
本発明の目的の一つは制御外部スリーブを手で回転させることにより、内部ギアリングを回転させることができるようにすることである。その結果抵抗が存在しても、ギア・リングからピニオンを通り、チャック本体のセンター・ギアへ到る伝動により、より大きな回転モーメントが生成され得る。このようにして駆動部材がチャック本体に対し相対的に回転している時、工具柄はより大きい力でクランプされるという結果が得られる。すなわちナットとグリッパーとの間のネジ山はグリッパーをチャック本体のガイド穴に沿ってグリッパーを動くように押す、相対的な回転をする。
【０００５】
本発明のもう一つの目的は、前記工具柄をクランプするプロセスで、グリッパーが工具柄の反対力を受ける時、緩み止め部材の歯止め部がラチェット・ギアとかみあうようにする点にある。外部スリーブをより大きな力で回転させるとグリッパーが工具柄をクランプするようになるので、つめ部はラチェット・ギアに対し相対的に弾力性のある動きをし、より大きい力でクランプするプロセスに入ったというサインをオペレーターに示唆する、カチカチという連続音を発生する。
【０００６】
本発明のさらにもう一つの目的は、振動や打撃を伴う動作条件下でグリッパーが工具柄をクランプする時に、緩み止め部材の歯止め部が反対方向へ回転しないよう機能するラチェット・ギアとかみ合うため、チャック本体の内部ギア・リングからピニオンを通りセンター・ギアに到る伝導によって、ナットがグリッパーに対し相対的に反対方向に回転しないようにすることである。結果として、工具柄は振動や打撃を伴う動作条件下グリッパーから緩んで離れることはない。
【課題を解決するための手段】
【０００７】
本発明は、電源により駆動される駆動軸に取付けられた柄付き工具用クランプ構造であって、駆動軸と後端部で接続され、工具柄をクランプする収容スペースを有し、チャック本体の同軸錐体に均等に備えられた複数のガイド穴を有するチャック本体とチャック本体と接続されチャック本体のガイド穴に取付けられ、部分ネジ山を有する後端部と工具柄をクランプするため使用される前端部とを有する複数のグリッパーと、チャック本体のまわりに取付けられ、グリッパーの部分ネジ山と結合する内部ネジ山を有する駆動部材と、制御外部スリーブと、チャック本体に強固に取付けられたセンター・ギアと、チャック本体と同軸状に取付けられ、制御外部スリーブと接続され、内部ギア歯を有する内部ギア・リングと、
ピン・シャフトを通して駆動部材に取付けられ、内部ギア・リングとセンター・ギアにそれぞれ噛合う少なくとも１つのピニオンと、を含む電源により駆動される駆動軸に取付けられることを特徴とする。
【０００８】
前記制御外部スリーブは突起部を有する少なくとも１つの駆動キーを備え、内部ギア・リングは少なくとも１つの位置決め凹部を備え、突起部は位置決め凹部と結合し、前記制御外部スリーブがさらに少なくとも１つの制御キーを備え、内部ギア・リングはさらに少なくとも１つの緩み止め部材収容スペースを備えることを特徴とする。
【０００９】
クランプ構造はさらにチャック本体に強固に取付けられ、ラチェットを備えたラチェット・ギアと、少なくとも１つの緩み止め部材収容スペースに取付けられ、歯止め部を有する少なくとも１つの弾力性ある緩み止め部材と、弾力性ある緩み止め部材が歯止め部をラチェット・ギアのラチェットとかみあわせたり、自由にしたりするのを制御する制御キーと、を含み、前記ラチェット・ギアがさらにストップ・リング部を備えることを特徴とする。
【００１０】
前記弾力性ある緩み止め部材がピボット部を備え、ピボット部のまわりを揺れ動くことが可能であり、前記内部ギア・リングは部分ピボット穴を備え、部分ピボット穴にピボット部が取り付けられ、前記センター・ピンがピボット部に備えられることを特徴とする。
【００１１】
前記弾力性ある緩み止め部材がサポート部と突起部を備え、制御キーが突起部を押していると、弾力性ある緩み止め部材は、歯止め部がラチェット・ギアのラチェットとかみあうように変形されることを特徴とする。
【００１２】
前記ラチェット・ギアがチャック本体と一体に形成されることを特徴とする。
【００１３】
前記ラチェット・ギアが駆動部材と一体に形成されることを特徴とする。
【００１４】
前記チャック本体がセンター・ギアと一体に形成されることを特徴とする。
【００１５】
支持リングが弾力性ある緩み止め部材とピニオンの間に備えられ、前記内部ギア・リングがさらに駆動キー用に少なくとも１つの可動空間を備え、制御外部スリーブの少なくとも１つの駆動キーは駆動キー用可動空間で動くことが可能であることを特徴とする。
【００１６】
前記制御外部スリーブは共に結合された外部スリーブと制御リングから成る組み合せで、ここに外部スリーブは周辺に分布した接合鋸歯状縁を備えるスリーブ形状の部材で、制御リングは外部スリーブと強固に接続するために外部周囲に配置された接合鋸歯状縁を備える（図７−図１２、特に１１図参照）に記載の柄付き工具用クランプ構造。
【００１７】
前記制御外部スリーブは握りやすくするための線を有し、制御リングが制御キーを有することを特徴とする。
【００１８】
前記制御外部スリーブが突起部を有する少なくとも１つの駆動キーを有し、内部ギア・リングは少なくとも１つの位置決め凹部を備え、突起部と位置決め凹部は結合することを特徴とする。
【００１９】
前記チャック本体が接合鋸歯状縁を備え、センター・ギアがチャック本体の接合鋸歯状縁に強固に取付けられ、前記チャック本体にチャック本体の駆動部材を軸方向に位置決めするための軸位置決めリングを取付けてあり、前記駆動部材が、駆動部材の軸の正規曲面と鋭角に位置する力移転端面を有することを特徴とする。
【００２０】
軸受はチャック本体の支え棒と駆動部材の力移転端面の間に備えられ、軸受は支持部と支持部に取付けられた複数の回転体を有し、円状に配置され、前記軸受が、支持部は母線がチャック本体の支え棒と等しい傾斜角を回転体となす、開口中空円錐台で非動作方向すなわち半径方向の回転体の内接円半径は支持体の内半径より大きい半支持軸受であることを特徴とする。
【００２１】
前記駆動部材は回転可能な構造であり、ナットと駆動スリーブを含みナットはテーパ・ネジ山、力移転端面、柱面外部に分布した接続鋸歯状縁を有し、駆動スリーブはナットの接続鋸歯状縁のまわりに強固に固定されることを特徴とする。
【００２２】
ピン・シャフトは駆動スリーブの軸に平行で軸を中心とする同じ円の中で駆動スリーブの端面しっかり取付けられていることを特徴とする。
【００２３】
前記制御外部スリーブが掴みやすくするための溝を有することを特徴とする。
【００２４】
前記チャック本体の尾部に取付けられた後キャップを含み、チャック本体の尾部に接続する穴と複数の接続キーを有し、前カバーがチャック本体の前部に取付けられ、環状の接続溝を備えることを特徴とする。
【００２５】
前記クリップ・リングがチャック本体の前部に取付けられ内部ギア・リングと前カバーをチャック本体と軸方向に位置決めすることを特徴とする。
【００２６】
後キャップは外部スリーブの環状接続溝に取付けられ得ることを特徴とする。
【００２７】
前記チャック本体は収容スペースに対抗穴を有し、対抗穴の長さはチャック本体を駆動軸に接続するネジの頭の長さより長いことを特徴とし、前記チャック本体が後部の少なくとも１つの接続溝と前部の環状溝と後部で駆動軸に接続するネジ穴または錐体穴を有することを特徴とする。
【００２８】
少なくとも１つの減摩ユニットがチャック本体と制御外部スリーブの間、及び／または駆動部材と制御外部スリーブの間に備えられ、前記減摩ユニットがＰＴＦＥあるいは黒鉛でできており、前記減摩ユニットが回転体と支持部を含むことを特徴とする。
【発明の効果】
【００２９】
本発明は以下の革新的効果を有する。
即ち、制御外部スリーブを回転している間、外部スリーブによって駆動される駆動キーは内部ギア・リングを回転させる。次いで、ギア・リングから駆動部材のピニオンを経由して、チャック本体のセンター・ギア（あるいはチャック本体にしっかり接続された）に到る伝導を通して、抵抗が存在しても大きな回転モーメントが生じ、これは駆動部材をチャック本体に相対的に回転させ、すなわち駆動部材のネジ山（あるいはナット）をグリッパーのネジ山に相対的に回転させる。次いでグリッパーはより大きな力でチャック本体のガイド穴に沿って工具柄をクランプするよう駆動される。
【００３０】
また、前述の工具柄をクランプするプロセスで、グリッパーは工具柄の対抗力を受けるが、制御リングの駆動キーの突出部が内部ギア・リングの位置決め凹部とかみあい、オペレータにクランプが開始したサインを与えるカチカチ音を生じ、同時に緩み止め部材の歯止め部は制御キーの制御の下、ラチェット・ギアとかみあう。
制御外部スリーブが継続的に回転すると、グリッパーが工具柄をより大きい力でクランプするので緩み止め部材の歯止め部はラチェット・ギアに対し弾力性のある動きを行い、より大きい力でクランプするプロセスにあるというサインをオペレータに与える継続するカチカチ音を生じる。
【００３１】
グリッパーが振動や打撃を伴う動作条件下で工具柄をクランプする間、緩み止め部材の歯止め部とラチェット・ギアの間のかみあわせは反対回転を防止する機能を有し、グリッパーに対する駆動部材（あるいはナット）の反対回転は内部ギア・リングからピニオンを経由してチャック本体（あるいはチャック本体にしっかり接続された）のセンター・ギアまでの伝導によって防止される。
工具柄のクランプ解除をする時は、制御外部スリーブを反対方向に回転する。駆動キーの突出部は内部ギア・リングの他の反対側の位置決め凹部とかみあい、オペレータにクランプ解除のサインを与えるカチカチ音を生じる。
【発明を実施するための最良の形態】
【００３２】
本発明のクランプ構造は例えばドリルやネジタップなどの回転運動の発生を主要な機能とする柄を有する工具をクランプするために使用される。便宜上本明細書においては全て工具柄と呼ぶ。
以下、図を参照して本発明をさらに詳細に説明する。
【実施例１】
【００３３】
図１から図６に示す通り本発明の第１の実施例は、その後部において電源の駆動軸００１に接続したネジ穴あるいは錐体穴１０６を備えるチャック本体１、複数の接続溝１０７、工具柄がその前端でクランプされる収容スペース１０１、チャック本体を駆動軸に接続するネジの頭００２の長さ（ｅ）より長い長さ（Ｌ）を有する収容スペース１０１の対抗穴１０２、チャック本体の同軸錐体の表面に均一に分布した複数のガイド穴１０３、支え棒１０４、チャック本体及び接続鋸歯状縁１０８と一体的に形成されたセンター・ギア１０５とを含む。
【００３４】
また、本発明の第１の実施例は、部分ネジ３０１が一端であり、ほぼ角柱が他の一端であって、工具柄のクランプに使用されるチャック本体１のガイド穴１０３に取り付けられた複数のグリッパー３と、チャック本体１と同軸状に取り付けられ内部ギア歯１７１、部分ピボット穴１７２、緩み止め部材用収容スペース１７３、駆動キー用可動空間１７４、位置決め用凹部１７５及び１７６を有する内部ギア・リング１７とを含む。
【００３５】
また、本発明の第１の実施例は、回転可能な複合構造で、その軸の正規曲面と鋭角に位置する力移転端面１８１を備える駆動部材１８、内部テーパ・ネジ山１８２、その軸がネジ山面の軸と平行な複数のピン・シャフト１８３、ピン・シャフトに取り付けられ、チャック本体の内部ギア・リングのギア歯１７１及びセンター・ギア１０５とそれぞれかみあう複数のピニオン１８４と、チャック本体の接続鋸歯状縁１０８にしっかりと取り付けられラチェット１５１及びストップ・リング部１５２を有するラチェット・ギア１５１とを含む。
【００３６】
また、本発明の第１の実施例は、内部ギア・リングの緩み止め部材として収容スペース１７３に装着され、部分ピボット穴１７２周辺で揺れ動くことができ、ピボット部１１２、センター・ピン１１５、歯止め部１１１、突出部１１３、サポート部１１４を備える複数の弾力性緩み止め部材１１と、チャック本体の支え棒１０４と駆動部分の力移転端面１８１の間に位置し支持部５０２及び複数の回転体を有する半支持軸受け５であって、ここに支持部５０２は母線がチャック本体の支え棒１０４と等しい傾斜角Φを回転体５０１の平面となし、非動作方向すなわち半径方向の回転体５０１の内接円半径Ｒ２は支持体の内半径Ｒ１より大きい半支持軸受け５とを含む。
【００３７】
また、本発明の第１の実施例は、チャック本体１で駆動部材１８の位置決めをする軸位置決めリング１２１と、表面に握りやすくするための線１４５を有する制御外部スリーブ１４、複数の制御キー１４１、複数の接続キー１４４、突起部１４３を有する複数の駆動キー１４２と、弾力性ある緩み止め部材１１と駆動部材のピニオン１８４に間に取付けられた支持リング１９と、チャック本体１の前部と制御外部スリーブ１４のまわりに取付けられ、接続溝１６１を有し、制御外部スリーブの接続キーに接続する前面カバー１６とを含む。
【００３８】
また、本発明の第１の実施例は、チャック本体１と制御外部スリーブ１４の間に取付けられる低摩擦係数物質（例えばＰＴＦＥあるいは黒鉛）でできた減摩要素１３と支持体１３１とを含み、チャック本体の後部に取付けられ、チャック本体の後部に接続する穴と複数の接続キー２０７を備える後キャップ２と、を含む。
【実施例２】
【００３９】
図７から図１２に示す通り、本発明の第２の実施例は、その後部において電源の駆動軸００１に接続したネジ穴あるいは錐体穴１０６を備えるチャック本体１、複数の接続溝１０７、その前端で工具柄をクランプするための収容スペース１０１、チャック本体を駆動軸に接続するネジの頭００２の長さ（ｅ）より長い長さ（Ｌ）を有する収容スペース１０１の対抗穴１０２、チャック本体の同軸錐体の表面に均一に分布した複数のガイド穴１０３、支え棒１０４、チャック本体と一体的に形成されたセンター・ギア１０５と、部分ネジ３０１が一端でありほぼ角柱が他の一端であって、工具柄のクランプに使用されるチャック本体１のガイド穴１０３に取り付けられた複数のグリッパー３とを含む。
【００４０】
また、本発明の第２の実施例は、チャック本体１と同軸状に取り付けられ内部ギア歯７０１、部分ピボット穴７０２、緩み止め部材用収容スペース７０３、駆動キー用可動空間７０４、位置決め用凹部７０５を有する内部ギア・リング７と、
回転可能な複合構造で、駆動部材の軸の正規曲面と鋭角に位置する力移転端面６０１を備える駆動部材６、内部テーパ・ネジ山６０２、その軸がネジ山面の軸と平行な複数のピン・シャフト６０３、そのピン・シャフトに取り付けられ、内部ギア・リングのギア歯７０１及びチャック本体のセンターギア歯１０５とそれぞれかみあう複数のピニオン６０４、駆動部材の表面に備えられるラチェット６０５とを含む。
【００４１】
また、本発明の第２の実施例は、内部ギア・リングの緩み止め部材として収容スペース７０３に装着され、部分ピボット穴７０２周辺で揺れ動くことができ、ピボット部１１２、センター・ピン１１５、歯止め部１１１、突出部１１３、サポート部１１４を備える複数の弾力性緩み止め部材１１と、チャック本体の支え棒１０４と駆動部分の力移転端面６０１の間に位置し支持部５０２及び複数の回転体５０１を有する半支持軸受け５であって、ここに支持部５０２は母線がチャック本体の支え棒１０４と等しい傾斜角Φを回転体５０１の表面となす開口中空円錐台で、非動作方向すなわち半径方向の回転体５０１の内接円半径Ｒ２は支持体の内半径Ｒ１より大きい（図６参照）半支持軸受け５とを含む。
【００４２】
また、本発明の第２の実施例は、チャック本体の駆動部材６を位置決めする軸位置決めリング１２１と、外部スリーブ４と制御リング９を含む制御外部スリーブで、ここに外部スリーブは表面に握りやすくするための線４０５を備え、制御リングは周辺に分布する縦の接続鋸歯状縁９０４を備え外部スリーブ４にしっかりと接続するために使用され、複数の制御キー９０１、側部に突起部９０３及び９０４を有する複数の駆動キー９０２と、ここで制御キーは弾力性緩み止め部材の突起部を押して弾力性緩み止め部材の歯止め部がラチェット・ギアとかみあうように制御し、駆動キーは内部ギア・リングを回転させ、弾力性緩み止め部材１１及び駆動部材のピニオン６０４の間に取付けられた支持リング６９と、低摩擦係数物質（例えばＰＴＦＥあるいは黒鉛）でできた商品１３２と支持体１３１とを含み、チャック本体１と制御外部スリーブ４の間に取付けられる減摩ユニット１３と
−チャック本体の前部に取付けられたクリップ・リング１２２とを含む。
【実施例３】
【００４３】
図１３から図１５に示す通り、本発明の第３の実施例によるクランプ構造は、その後部において電源の駆動軸００１に接続したネジ穴あるいは錐体穴１０６を備えるチャック本体１、複数の接続溝１０７、工具柄がその前端でクランプされる収容スペース１０１、チャック本体を駆動軸に接続するネジの頭００２の長さ（ｅ）より長い長さ（Ｌ）を有する収容スペース１０１の対抗穴１０２、チャック本体の同軸錐体の表面に均一に分布した複数のガイド穴１０３、支え棒１０４、チャック本体の柱面外部に環状に配置された接続鋸歯状縁１０９とを含む。
【００４４】
また、本発明の第３の実施例は、部分ネジ３０１が一端であり近似的マルチプリズム３０２が他の一端であって、工具柄のクランプに使用されるチャック本体１のガイド穴１０３に取り付けられた複数のグリッパー３と、チャック本体の接続鋸歯状縁１０９にしっかり取付けられギア歯４１５を有するセンター・ギア４１と、チャック本体１と同軸状に取り付けられ内部ギア歯２７１、部分ピボット穴２７２、緩み止め部材用収容スペース２７３、駆動キー用可動空間２７４、位置決め用凹部２７５及び２７６を有する内部ギア・リング２７とを含む。
【００４５】
また、本発明の第３の実施例は、チャック本体に取付けられた回転可能な複合構造で、ナット２６、駆動スリーブ３６、複数のピン・シャフト３６３、複数のピニオン３６４を含む駆動部材であって、ここにナットはテーパ・ネジ山２６２、力移転端面２６１、柱面外部に分布した接続鋸歯状縁２６６を備え、駆動スリーブ３６はナットの接続鋸歯状縁２６６のまわりにしっかりと取付けられ、ピン・シャフト３６３と駆動スリーブは駆動スリーブの端面の周囲にしっかり取付けられ、この場合端面は駆動スリーブの軸に中心を向き、ピン・シャフトは軸と平行になり、ピン・シャフトに取付けられたピニオン３６４はチャック本体の内部ギア・リングのギア歯２７１及びセンター・ギアのギア歯４１５とそれぞれかみあい、内部ギア・リングの緩み止め部材として収容スペース７０３に装着され、部分ピボット穴７０２周辺で揺れ動くことができ、ピボット部１１２、センター・ピン１１５、歯止め部１１１、突出部１１３、サポート部１１４を備える複数の弾力性緩み止め部材１１とを含む。
【００４６】
また、本発明の第３の実施例は、チャック本体の支え棒１０４と駆動部材の力移転端面２６１の間に位置し支持部及び複数の回転体を有する半支持軸受け５であって、ここに支持部は回転体を有する環状で、非動作方向すなわち半径方向の回転体の内接円半径は支持体の内半径Ｒより大きい半支持軸受け５と、チャック本体の接続鋸歯状縁１０９にしっかり取付けられ、ラチェット５１５を有するラチェット・ギア５１とを含む。
【００４７】
また、本発明の第３の実施例は、外部スリーブ３４と制御リング３９を含む制御外部スリーブで、ここに外部スリーブは表面に握りやすくするための線３４５を備え、制御リングは縦の接続鋸歯状縁９０４、複数の制御キー３９１、複数の駆動キー３９２を備え、ここに接続鋸歯状縁９０４は周辺に分布し、外部スリーブ３４にしっかりと接続するために使用され、駆動キー３９２は、側部に突起部３９３を有し、制御キーは弾性緩み止め部材の突起部１１３を押して歯止め部１１１がラチェット・ギア５１とかみあうように制御し、駆動キー３９２は内部ギア・リング２７を回転させ、弾力性緩み止め部材１１と駆動部材のピニオン３６４の間に取付けられる支持リング３７と、低摩擦係数物質（例えばＰＴＦＥあるいは黒鉛）でできて、チャック本体１と外部スリーブ３４の間に取付けられた減摩部材４０とを含む。
【００４８】
以下に、第１の実施例のクランプ構造の動作を説明する。
工具柄００３はチャック本体１の工具柄収容スペース１０１に挿入され、次いで制御外部スリーブはチャック本体にクランプ方向に取付けられた後キャップ２の方へ回転される。制御外部スリーブ１４の駆動キー１４２は突起部１４３で内部ギア・リング１７の位置決め凹部１７６とかみあい、プラネット機構の内部ギア・リング１７はチャック本体に対して回転できる。プラネット機構においてピニオン１８４はチャック本体の内部ギア・リング１７及びラチェット１０５と同時にかみあい、チャック本体１のまわりを回転する。
【００４９】
従って、ピニオン１８４が接続している駆動部材１８はチャック本体に対し回転する。そのため駆動部材１８のネジ山１８２はチャック本体１に取付けられたグリッパー３の部分ネジ３０１に対し回転を生じ、その結果グリッパー３は工具柄００３に接近しクランプする。チャック本体１に取付けられた後キャップ２に対し制御外部スリーブ１４を回転させるモーメントが継続して増加すると、駆動キー１４２はクランプ方向に動き、突起部１４３を別の位置決め用凹部１７５とかみあうようにさせ、カチカチ音を発生させる。
【００５０】
同時に駆動キー１４２は駆動キーの可動空間１７４の端壁とクランプ方向に接触し、制御キー１４１は弾力性緩み止め部材１１の歯止め部１１１がラチェット・ギア１５のラチェット１５１とかみあうように、弾力性緩み止め部材１１の突起部１１３を動かし押す。チャック本体に取付けられた後キャップ２に対し制御外部スリーブ１４を回転させるように継続的に加えるモーメントを増加すると、駆動キー１４２は内部ギア・リング１７を少し動くよう促し、弾力性緩み止め部材１１の歯止め部１１１はラチェット１５１に沿って跳び上がり、工具柄が今や駆動キーによりクランプされていることを示唆する継続的カチカチ音を生じさせる。
【００５１】
工具柄を解放する必要があるので制御外部スリーブ１４は後キャップ２に対し反対方向に回転され、制御キー１４１は弾力性緩み止め部材１１の歯止め部１１１から離れるため反対方向に回転する。弾力性作用によって弾力性緩み止め部材１１の歯止め部１１１ラチェット１５１から解放され、同時に駆動キー１４２の突起部１４３は内部ギア・リング１７の反対方向の位置決め凹部１７６とかみあうように動き、オペーレータに解放開始のサインを知らせるカチカチ音を発生させる。
【００５２】
以上、本発明の好ましい実施形態について説明したが、本発明は前記実施例に限定されず、本発明の属する技術範囲を逸脱しない範囲での全ての変更が含まれる。
【図面の簡単な説明】
【００５３】
【図１】本発明の第１の実施例によるクランプ構造の前方断面図である。
【図２】図１の線Ｄ−Ｄの断面図である。ただし部材１９は取り去っている。
【図３】図１及び１１の線Ｊ−Ｊの断面図である。
【図４】図３の線Ｈ−Ｈの断面図である。
【図５】本発明の第１の実施例及び第２の実施例の、半支持軸受の前方断面図である。
【図６】図５の平面図である。
【図７】図８の底面図である。
【図８】本発明の第２の実施例によるクランプ構造の前方断面図である。ピン・シャフト（１８３、３６３）及びピニオン（１８４）は取り去られている。（図７の線Ｃ−Ｃの断面図）
【図９】本発明の第２の実施例によるクランプ構造で制御外部スリーブ（１４）の制御リング（９）の線図である。
【図１０】図９の線Ｂ−Ｂの断面図である。
【図１１】本発明の第２の実施例によるクランプ構造の前方断面図である。
【図１２】図１１の線Ａ−Ａの断面図である。
【図１３】本発明の第３の実施例によるクランプ構造の前方断面図である。
【図１４】図１３の線Ｆ−Ｆの断面図で、ここで部材３７は取り去られている。
【図１５】図１３における線Ｇ−Ｇの断面図である。
【符号の説明】
【００５４】
１  チャック本体
２  キャップ
３  グリッパー
５  半支持軸受け
６  駆動部材
７  内部ギア・リング
９  制御リング
１１  弾力性緩み止め部材
１３  減摩要素
１４  制御外部スリーブ  
１６  前面カバー
１７  内部ギア・リング
１８  駆動部材
１９  支持リング
２６  ナット
２７  内部ギア・リング
３４  外部スリーブ
３６  駆動スリーブ
３９制御リング
４１  センター・ギア
５１  ラチェット・ギア
６９  支持リング
００１  駆動軸
００２  ネジの頭
００３  工具柄
１１  弾力性緩み止め部材
１４  外部制御スリーブ
１５  ラチェット・ギア
１７  内部ギア・リング
１８  駆動部材
２７  内部ギア・リング
３４  外部スリーブ
３７  支持リング
４０  減摩部材
５１  ラチェット・ギア
１０１  収容スペース
１０２  対抗穴
１０３  ガイド穴
１０４  支え棒
１０５  センターギア歯
１０６  錐体穴
１０７  接続溝
１０８、１０９  接続鋸歯状縁
１１１  歯止め部
１１２  ピボット部
１１３    突起部
１１４    サポート部
１１５    センター・ピン
１２１  軸位置決めリング
１２２  クリップ・リング
１３１  支持体
１３２  商品
１４１  制御キー
１４２  駆動キー
１４３  突起部
１４４、２０７  接続キー
１４５  線
１５１  ラチェット
１５２  ストップ・リング部
１６１  接続溝
１７１  ギア歯
１７２  部分ピボット穴
１７３  収容スペース
１７４  駆動キー用可動空間
１７５、１７６  位置決め用凹部
１８１  力移転端面
１８２  内部テーパ・ネジ山
１８３  ピン・シャフト
１８４  ピニオン
２６１  力移転端面
２６２  テーパ・ネジ山
２６６  接続鋸歯状縁
２７１  内部ギア歯  
２７２  部分ピボット穴
２７３  収容スペース
２７４  可動空間
２７５、２７６  位置決め用凹部
３０１  部分ネジ
３０２  マルチプリズム
３４５  線
３６３  ピン・シャフト
３６４  複数のピニオン
３９１  制御キー
３９２  駆動キー
３９３  突起部
４０５  線
４１５  ギア歯
５０１  回転体
５０２  支持部
５１５  ラチェット
６０１  力移転端面
６０２  内部テーパ・ネジ山
６０３  ピン・シャフト
６０４  ピニオン
６０５  ラチェット
７０１  内部ギア歯
７０２  部分ピボット穴
７０３  緩み止め部材用収容スペース
７０４  キー用可動空間
７０５位置決め用凹部
９０１  制御キー
９０２  駆動キー
９０３、９０４  突起部
【図１】
2006326831.tif 000003
【図２】
2006326831.tif 000004
【図３】
2006326831.tif 000005
【図４】
2006326831.tif 000006
【図５】
2006326831.tif 000007
【図６】
2006326831.tif 000008
【図７】
2006326831.tif 000009
【図８】
2006326831.tif 000010
【図９】
2006326831.tif 000011
【図１０】
2006326831.tif 000012
【図１１】
2006326831.tif 000013
【図１２】
2006326831.tif 000014
【図１３】
2006326831.tif 000015
【図１４】
2006326831.tif 000016
【図１５】
2006326831.tif 000017